(57)【要約】      （修正有）【課題】人体を横臥状態のまま微小振動、昇降などを加えて全身按摩する摩擦装置の提供。【解決手段】人体を横臥状に支持できる支持台７を機枠２上に昇降自在に設置し、該機枠を昇降駆動機に連動させると共に、前記支持台に振動機１６を設置し、前記支持台を弾力的に支持させ、前記昇降駆動機及び振動機の制御器１７を設置し、この制御器を手動又は操作器で制御できるようにした。【選択図】図１
0003118708.tif 000002
【実用新案登録請求の範囲】
【請求項１】
人体を横臥状に支持できる支持台を機枠上に昇降自在に設置し、該機枠を昇降駆動機に連動させると共に、前記支持台に振動機を設置し、前記支持台を弾力的に支持させ、前記昇降駆動機及び振動機の制御器を設置し、この制御器を手動又は操作器で制御できるようにしたことを特徴とする按摩装置。
【請求項２】
人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記昇降駆動機及び振動機の制御器を設置し、この制御器を手動又は操作器で制御できるようにしたことを特徴とする按摩装置。
【請求項３】
人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記駆動機、振動機及び回動機の入出力を制御器に連結し、該制御器に操作器を有線又は無線により接続したことを特徴とする按摩装置。
【請求項４】
人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記駆動機、振動機及び回動機の入出力を制御器に連結し、該制御器に操作器を有線又は無線により接続し、前記人体の状態を検出する為に、少なくとも１つのセンサーを備え、該センサーの出力を前記制御器に接続して、自動制御できるようにしたことを特徴とする按摩装置。
【請求項５】
制御器にはプログラム制御できる記憶チップを内臓させたことを特徴とする請求項３又は４記載の按摩装置。
【請求項６】
ベース台は、機枠上へスプリングにより上下方向移動可能に支持したことを特徴とする請求項１、２、３、４の何れか１つ記載の按摩装置。
【請求項７】
自動制御は、制御器により駆動機の自動停止を含む振動サイクル、速度、プログラム制御など各駆動部の制御ができるようにしたことを特徴とする請求項４記載の按摩装置。
【考案の詳細な説明】
【技術分野】
【０００１】
この考案は、全身按摩することにより、疲労回復及び気分転換をさせることを目的とした按摩装置に関する。
【背景技術】
【０００２】
従来知られている全身按摩装置は、例えばソファー式の按摩装置であって、マットの下に加圧子（例えばローラ）を収容し、該加圧子の回転により、人体各部に刺激を与え、按摩効果を得ていた。またソファーの背もたれに設けた振動装置、又は背部にもみ作用を与える装置を設けるなど幾多の提案がある。
【特許文献１】実公平７−１０７４８
【考案の開示】
【考案が解決しようとする課題】
【０００３】
前記従来の按摩装置は、人体の腰部、肩部又は背部などを局部的に按摩するものであり、全身に同時に行う按摩は勿論のこと、人体にかかる重力変化を考慮するなどの発想がなかったので、全身の連続加療ができない問題点があった。
【課題を解決するための手段】
【０００４】
この考案は、人体を横臥状に支持したまま、人体を昇降させ、振動させることにより、人体に支持位置の変化を与えると共に、全身を不均等按摩して、前記従来の問題点を解決したものである。
【０００５】
また最良の按摩の程度（強さ、繰り返し間隔、持続時間など）には個人差が大きいことに鑑み、按摩条件をプログラムにして自動的に再現させ、或いは人力操作によりプログラム作成を可能にすると共に、危険予知その他安全対策を充実して、自動的かつ事前に処置できるようにし、体力の弱っている使用者でも安心して採用できるようにした。従って、１台の装置を多数の人が、自分にあった条件で使用できるようにして、前記従来の問題点を解決したのである。
【０００６】
即ちこの考案は、人体を横臥状に支持できる支持台を機枠上に昇降自在に設置し、該機枠を昇降駆動機に連動させると共に、前記支持台に振動機を設置し、前記支持台を弾力的に支持させ、前記昇降駆動機及び振動機の制御器を設置し、この制御器を手動又は操作器で制御できるようにしたことを特徴とする按摩装置であり、人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記昇降駆動機及び振動機の制御器を設置し、この制御器を手動又は操作器で制御できるようにしたことを特徴とする按摩装置である。
【０００７】
また他の考案は、人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記駆動機、振動機及び回動機の入出力を制御器に連結し、該制御器に操作器を有線又は無線により接続したことを特徴とする按摩装置であり、制御器にはプログラム制御できる記憶チップを内臓させたものであり、ベース台は、機枠上へスプリングにより上下方向移動可能に支持したものである。
【０００８】
次に他の考案は、人体を横臥状に支持できる支持台を機枠上に昇降自在に設置し、該機枠を昇降駆動機に連動させると共に、前記支持台に振動機を設置し、前記支持台は、その一側をベース板上の一側に支軸により傾動自在に設置し、該支軸に回動機を連結し、前記駆動機、振動機及び回動機の入出力を制御器に連結し、該制御器に操作器を有線又は無線により接続し、前記人体の状態を検出する為に、少なくとも１つのセンサーを備え、該センサーの出力を前記制御器に接続して、自動制御できるようにしたことを特徴とする按摩装置であり、自動制御は、制御器により駆動機の自動停止を含む振動サイクル、速度、プログラム制御など各駆動部の制御ができるようにしたものである。
【０００９】
前記における個人差別プログラムは、予め記憶蓄積しておいて、リモートコントロールにより選択指示できるように、制御器にコンピュータが組み込まれており、条件を選択できることは勿論、条件を変えること（組み変え）もできるようになっている。
【００１０】
また安全装置については、使用者の脈拍の変化、呼吸の変化、血圧の変化などのうち複数対象の測定と、予め入力された標準数値及び危険数値により振動機等の治療を自動停止すると共に、警報を鳴らすようになっている。
【００１１】
例えば、登録制度を義務づけておいて、使用者が使用時に固有の番号を入力すると、自動的に固有の番号に対応する条件が設定されるようにしてある。
【００１２】
前記の外、外部の異常による異常電流の入力により、自動的に全機器を停止する安全装置も付設する。前記脈拍及び血圧等のセンサーは、支持台に設置し、支持台上の正位置に横臥すれば、前記脈拍及び血圧等を自動的に測定できるようにしてある。
【考案の効果】
【００１３】
この考案によれば、全身按摩ができると共に、無重力又は加重力体験（昇降による）によって、通常状態と異常状態を交互に繰り返し、身体各部の賦活と、疲労の回復を計り得る効果がある。
【００１４】
またプログラム按摩ができるので、使用前にカードなどによって個人情報を入力し、又は個人プログラムをセットすれば、個人差に応じて最良の加療が可能であるばかりでなく、体調に応じた加療もできる効果がある。前記により、同一装置で条件の異なる多数の使用者に対応し得る効果がある。
【００１５】
更に安全対応については、使用者がコントロールできることは勿論、使用者の体調の変化を検出して、自動的に安全対応（例えば自動停止、警報を鳴らす）ができるようにした効果がある。従って、使用者が使用中に異常となり、意志表示又は自分の意志による制御が不可能になった場合においても自動制御により安全を確保できる効果がある。
【考案を実施するための最良の形態】
【００１６】
この考案は、人体を横臥状に支持できる支持台を機台上に昇降自在に設置して駆動機に連結すると共に、前記支持台に振動機を設置してある。前記支持台の昇降は、例えばカムによって、定量宛昇降する。また支持台に振動機として振動モータを設置し、該モータの回転数をコントロールすることにより、個人差に対応して大小の振動を付与することができる。前記カムの回転数を制御することによって、昇降速度を変え、繰り返し速度に変化を与え、同一ストロークの昇降であっても、治療効果に変化を付与することができる。
【００１７】
前記振動モータ及びカムのモータ入力についてプログラム制御することにより、個人別加療ができる。このプログラムは予め付与することもできるし、使用者自らが改変することができる。従って、プログラムをカードへ入れておけば、治療開始前に、制御器へカードを挿入することにより、各使用者毎のプログラム治療ができるので、同一装置を使用し、調整することなく、複数の使用者に使用させることができる。
【実施例１】
【００１８】
この考案の実施例を図１、２、３について説明すると、基台１上の案内１ａ、１ａへ機枠２を昇降可能に設置し、該機枠２上へ受枠３を横架する。該受枠３上へ複数のコイルスプリング４、４を敷設し、該コイルスプリング４、４上へベース板５を載置して、ベース板５の一側へ人体６の支持台７の一側を回動可能に軸８で軸支し、該軸８へ駆動モータ９を連結する。前記支持台７は、硬質寝台７ａ、弾性層７ｂ及び案内７ｃにより構成している。
【００１９】
また前記基台１上の中央部へ駆動軸１０を架設し、前記基台１上の左右へ、カム軸１１、１１を架設し、前記駆動軸１０の両端部へ、プーリー１２、１２を固定し、前記カム軸１１、１１の両端部へ、プーリー１３、１３、カム１４、１４とを夫々固定して、前記各プーリー１２、１３へベルト１５、１５を装着する。図中１９は案内、２７は駆動モータ、２８はマグネットバイブレーターである。
【００２０】
前記実施例のプーリーに代えてＶプーリー又はスプロケットホイールにすれば、動力伝達を正確かつ強力に行うことができる。
【００２１】
前記ベース板５の下部には、振動モータ１６を固定してある。また基台１上には、制御器１７を設置し、該制御器１７、各モータ及びリモートコントロール器１８（有線又は無線）は電気的に接続してあり、この考案の按摩装置２０を構成する。図中２６はモータ台である。前記制御器１７は、総合コンピュータを要部とするもので、各部の情報を集め、分析し、その出力によりモータなどの駆動又は停止などを制御することができる。またプログラムの入力、作成により、多数の使用者の各プログラムを制御できる。
【００２２】
前記機枠２の下部には、ブラケット２ａ、２ａを固定し、ブラケット２ａ、２ａへカムホイール２１、２１の支軸２２を架設し、カムホイール２１、２１はカム１４、１４の外周に当接できるようにしてある。前記昇降ストロークは、例えば２０ｍｍ〜３０ｍｍとすると共に、カムの回転数は、６０〜３００ｒｐｍとすることができる。
【００２３】
前記実施例において、按摩機２０を使用するには、使用者カードを制御器１７のカード口３０に入れた後、支持台７上へ人体１９を仰臥させる。ついでリモートコントロール器１８のスイッチ（図示してない）を入れると、ベース板５は、振動しつつ、カム１４の回転により矢示２３のように昇降する。
【００２４】
前記実施例において、血圧センサー３１（又は脈拍センサー）を腕に巻き、面ファスナー３２などで仮着すれば、血圧（又は脈拍）を測定し、これをコード３３により、制御器１７に伝達すれば、異常血圧により、駆動を自動停止させることができる。
【００２５】
また振動モータ１６のスイッチを入れると、前記昇降に加えて、一定周波数の振動を付加するので、人体は全身マッサージを受けることになる。更にマグネットバイブレータ２８のスイッチも入り、人体の当接部を適宜振動させる。
【００２６】
前記において、脈拍及び血圧並びに呼吸のセンサーを設置し（前記制御器と接続したセンサー）、自動制御する。前記センサー２９は支持台に埋め込み、又は別製のセンサー３１を手、足などへ巻きつける。前記センサーは安全対応器機であるから、少なくとも二つは同時に計測できて対応できるようにすることが好ましい。
【００２７】
また駆動モータ９のスイッチ（図示してない）をＯＮにすれば、軸８が回転し、支持台７が図１中矢示２４のように８０度位に立ち上がるので、按摩機２０に乗る時には腰掛状に掛け、ついで駆動モータ９を支持台７を矢示２５のように回転させて横臥状態にすることができる。従って按摩機２０への横臥又は立ち上がりが容易にできる。
【図面の簡単な説明】
【００２８】
【図１】（ａ）この考案の実施例の一部を省略した正面図、（ｂ）同じくカムの伝導状態を示す一部拡大斜視図。
【図２】同じくカムの伝導系を示す平面図。
【図３】（ａ）同じく一部を省略一部断面した側面図、（ｂ）同じく血圧センサーの展開斜視図、（ｃ）同じく血圧センサーの装着状態の斜視図。
【図４】同じく装置の使用状態を示す一部正面図。
【符号の説明】
【００２９】
１  基台
２  機枠
３  受枠
４  コイルスプリング
５  ベース板
６  人体
７  支持台
８  軸
９  駆動モータ
１０  駆動軸
１１  カム軸
１２、１３  プーリー
１４  カム
１５  ベルト
１６  振動モータ
１７  制御器
１８  リモートコントロール器
２０  按摩装置
【図１】
0003118708.tif 000003
【図２】
0003118708.tif 000004
【図３】
0003118708.tif 000005
【図４】
0003118708.tif 000006